(57)【特許請求の範囲】
【請求項１】
テレビジョン・システムであって、
低精細度モードと高精細度モードのうちのひとつでビデオ・コンテンツの表示を可能にする第１の手段と、
前記低精細度モードと高精細度モードとの間で切り換える第２の手段と、
前記第２の手段は、電子番組ガイド・デモンストレーションの起動に応じて、前記高精細度モードから前記低精細度モードに自動的に切り換え、前記電子番組ガイド・デモンストレーションの終了に応答して、前記低精細度モードから前記高精細度モードに自動的に切り換える
ことを特徴とするテレビジョン・システム。
【請求項２】
前記電子番組ガイド・デモンストレーションの終了は、電子番組ガイド・デモンストレーションの完了および前記完了前のユーザ入力のうちの一つに応答して発生することを特徴とする請求項１に記載のテレビジョン・システム。
【請求項３】
外部ディジタル・ビデオ・ディスク（ＤＶＤ）プレーヤ、ゲーミング・システム、および衛星ボックスのうちの一つから提供されるビデオ・コンテンツは、前記高精細度モードで表示されることを特徴とする請求項１に記載のテレビジョン・システム。
【請求項４】
前記番組ガイド・デモンストレーションの起動は、ユーザ入力に応答して発生することを特徴とする請求項１に記載のテレビジョン・システム。
【請求項５】
前記番組ガイド・デモンストレーションの起動は、リモート・コントローラ装置上の番組ガイド・デモンストレーション・スイッチへのユーザ入力、前記テレビジョン・システムのフロント・パネル上のキーまたはキーの組み合わせへのユーザ入力、および前のデモンストレーションが終了してから所定の時間が経過した後で前記番組ガイド・デモンストレーションを自動的に開始するソフトウェア・プログラム、のうちの一つに応答して発生することを特徴とする請求項１に記載のテレビジョン・システム。
【請求項６】
前記電子番組ガイド・デモンストレーションに対応するビデオ・コンテンツを格納する第３の手段をさらに備えることを特徴とする請求項１に記載のテレビジョン・システム。
【請求項７】
前記電子番組ガイド・デモンストレーションに対応する前記ビデオ・コンテンツは、表示される前にアップコンバートされることを特徴とする請求項６に記載のテレビジョン・システム。
【請求項８】
テレビジョン・システムを制御する方法であって、
電子番組ガイド・デモンストレーションの起動を検出すること、
前記起動に応答して、高精細度モードから低精細度モードに前記テレビジョン・システムを切り換えること、
前記電子番組ガイド・デモンストレーション終了を検出すること、および
前記終了に応答して前記低精細度モードから高精細度モードに戻すように前記テレビジョン・システムを切り換えること
を備えることを特徴とする方法。
【請求項９】
前記電子番組ガイド・デモンストレーションに対応するデータは、ディジタル方式で符号化され、前記テレビジョン・システムのメモリに記憶されていることを特徴とする請求項８に記載の方法。
【請求項１０】
ディジタル・ビデオ・ディスク（ＤＶＤ）プレーヤ、衛星ボックス、およびゲーミング・システムのうちの一つから提供されるビデオデータは、前記テレビジョン・システムが前記高精細度モードにあるときに、処理され表示されることを特徴とする請求項８に記載の方法。
【請求項１１】
前記電子番組ガイド・デモンストレーションの前記終了は、前記電子番組ガイド・デモンストレーションの完了および前記完了前のユーザ入力のうちの一つに応答して発生することを特徴とする請求項８に記載の方法。
【請求項１２】
前記テレビジョン・システムは、高精細度信号を受けるための、高精細度テレビジョン・チューナを備えることを特徴とする請求項８に記載の方法。
【請求項１３】
前記電子番組ガイド・デモンストレーションの前記起動は、ユーザ入力に応答して発生し、前記電子番組ガイド・デモンストレーションに対応するデータは、ディジタル方式で符号化されて記憶され、垂直ブランキング期間（ＶＢＩ）を介して得られる生データを含まないことを特徴とする請求項８に記載の方法。
【請求項１４】
前記電子番組ガイド・デモンストレーションに対応するビデオ・コンテンツは、表示される前にアップコンバートされることを特徴とする請求項８に記載の方法。
【請求項１５】
前記電子番組ガイド・デモンストレーションに対応するビデオ・コンテンツは、アップコンバートされる前に、ビデオ信号にオーバーレイされることを特徴とする請求項１４に記載の方法。
【発明の詳細な説明】
【０００１】
【発明の属する技術分野】
本発明は一般に、高精細度テレビジョン・システムおよび方法に関し、より詳細には、電子番組ガイドのデモンストレーションを低精細度モードで表示することのできる高精細度テレビジョンに関する。
【０００２】
【従来の技術】
本出願は、本発明者の名義において２００１年８月３１日に出願された米国仮出願第６０／３１６２４６号の特典を主張する。
【０００３】
低精細度または標準精細度モードのテレビジョン・システムは、１５．７３４ＫＨｚ（１Ｈ）の水平走査周波数を有する。高精細度は、公称２．１４Ｈ（２Ｈ）または約３３．６ＫＨｚの走査周波数として定義される。
【０００４】
売り場環境では、潜在顧客にテレビジョンの能力を印象づけるために、高解像度ソース（２Ｈ）または標準解像度ソース（１Ｈ）を表示できるＴＶ／モニタ上で、プログレッシブ走査２Ｈ  ＤＶＤプレーヤからのソースなど高精細度ソースを表示することが一般に行われている。このような複数のソースを表示できるこうしたテレビジョンの一例は、米国インディアナ州インディアナポリスのＴｈｏｍｓｏｎ  Ｍｕｌｔｉｍｅｄｉａ，Ｉｎｃ．が販売するＲＣＡモデルＣＴＣ２１０である。しかし、ＣＴＣ２１０および同様のテレビジョン・システムは、模擬対話式番組ガイドを永続メモリに収録しており、模擬対話式番組ガイドは、テレビジョンが１Ｈモードにある間のみ、表示できる。
【０００５】
潜在顧客がガイド・デモを実行できることは重要な機能なので、本発明者は、これを可能にすることが望ましいと認識する。しかし、番組ガイドは１Ｈモード以外で表示することができないので、このようなテレビジョンは、ガイド・デモが要求されたときに自動的に１Ｈモードに変更する必要がある。
【０００６】
【発明が解決しようとする課題】
本発明は、高解像度ソースを表示できるようにテレビジョン・モードを自動的に２Ｈに戻すことに関する。
【０００７】
顧客が番組ガイド・デモを開始した後、手動でデモを終了することなく立ち去り、それによりテレビジョンが１Ｈモードのままになっていることはよく見受けられる。
【０００８】
本発明の目的は、番組ガイド・デモが終了した後で、どんなユーザ介入もなしにテレビジョンを自動的に２Ｈモードに戻すことにより、当技術分野におけるこの問題を克服することである。
【０００９】
本発明の別の目的は、この２Ｈモードへの自動復帰を、ユーザによってまたは工場でオンにし、オフにすることができるオプション機能にすることである。
【００１０】
【課題を解決するための手段】
これらの目的、および後続の開示および添付の図面から明らかになる他の目的は、以下のようなテレビジョン・システムを備える本発明によって達成される。すなわちこのテレビジョン・システムは、
第１のソースからのビデオを低精細度（１Ｈ）モードで表示し、第２のソースからのビデオを高精細度（２Ｈ）モードで表示する手段と、
第１のソースが選択されたときに１Ｈモードに切り換える手段と、
第１のソースが選択解除されたときまたは非アクティブであるときに、自動的に２Ｈモードに切り換える手段とを備える。
【００１１】
別の態様では、本発明は、低精細度（１Ｈ）番組ガイドを高精細度テレビジョン・モニタ上に表示する方法を備え、この方法は、
番組ガイドを表示するユーザ選択を受け取るステップと、
１Ｈモードに切り換えるステップと、および、
番組ガイド選択の終了時に自動的に２Ｈモードに切り換えるステップとを備える。
【００１２】
好ましい第１のソースは、メモリに記憶された電子番組ガイドであり、好ましい第２のソースは、外部ディジタル・ビデオ・ディスク（ＤＶＤ）プレーヤ、ゲーミング・システム、または衛星ボックスである。
【００１３】
このシステムは、デモンストレーション番組ガイドが選択されたときまたは自動的に開始したときに自動的に１Ｈモードに切り替わるようにプログラムすることが好ましい。デモンストレーションは、売り場環境内の顧客が番組ガイド・キーを押したときにリモート・コントローラを使用して開始することができる。テレビジョン・セットはハードウェア・ピンを備えることができ、そのピンがＴＶの背面上のポートに差し込まれているとき、顧客がコントローラまたはパネル・キーで番組ガイドを選択するたびにデモンストレーションをトリガすることができる。ソフトウェア・プログラムは、所定の時刻に、または代替実施形態では所定の時間が経過した後に、自動的に番組ガイド・デモを開始することができる。
【００１４】
第１のまたは他のソースから供給された１Ｈビデオは、この目的のために適合された従来型の回路を使用して２Ｈにアップ・コンバートすることができる。
【００１５】
【発明の実施の形態】
図１は、１Ｈの公称走査周波数である標準精細度と公称２Ｈである高精細度のいずれかの様々なビデオ入力信号を受け入れることのできるビデオ装置のブロック概略図を提示する。
【００１６】
ＳＤすなわち１Ｈの入力信号は、２倍の周波数レートでの表示を可能にするように処理される。標準精細度の信号は、セレクタ・スイッチ・マトリックスＳＷ１２を介して、ビデオ・プロセッサ集積回路Ｕ１  １１、例えば東芝型名ＴＡ１２８６ＮＦに入力される。セレクタ・スイッチ・マトリックスＳＷ１２は、様々なソース、例えば復調されたＲＦまたはＩＦ信号１３、輝度およびエンコードされた副搬送波１４を含む外部Ｙ／Ｃコンポーネント信号１６、ＮＴＳＣエンコード信号１５、あるいはＹ／Ｐｒ／Ｐｂ入力１４などからのユーザ選択を可能にする。
【００１７】
外部コンポジットＮＴＳＣ信号は、セレクタ・マトリックス・スイッチ１２の前段において、最初に櫛形フィルタにかけられて、分離され、輝度とエンコードされた副搬送波とが生成される。したがってビデオ・プロセッサＵ１  １１へのＳＤ入力１７は、ＹＣと呼ばれる、輝度およびエンコードされた副搬送波成分の形式である。ビデオ・プロセッサＵ１  １１は、同期セパレータＳＳと、ＮＴＳＣ復号器およびマトリックス構成とを備え、ＮＴＳＣ復号器およびマトリックス構成は、復号し、色差信号、例えばＲ−ＹとＢ−ＹやＰｒとＰｂなどを形成する。輝度すなわちＹ信号入力は、分離された（１Ｈ）同期パルスを提供する同期セパレータＳＳを介してＩＣ  Ｕ１  １１のピン１８に結合される。同期パルスを有するＹ信号は、ピン４に出力され、好都合なゲーテッド同期パルス・ストレッチャを介して、オーバーレイ・スイッチまたはマトリックス・スイッチ集積回路Ｕ２、例えば東芝型名ＴＡ１２８７Ｆに結合される。
【００１８】
ジェムスター（商標）回路モジュール１９によってビデオまたは番組ガイド情報が生成されるが、この情報は、アップ・コンバージョンの前段でオーバーレイ・スイッチＩＣ  Ｕ２  １８によってオン・スクリーン・ディスプレイ（ＯＳＤ）として処理されるように、ファスト・スイッチ信号（ＦＳＷ）と共に赤、緑、青の信号として結合される（２０）。ジェムスター（商標）ＯＳＤ信号２０のスイッチングまたは混合重ね合わせ（mixed superimposition）がＩＣ  Ｕ２  １８によって達成されるが、ＩＣ  Ｕ２  １８はさらに、ジェムスター（商標）から発生したＲＧＢ  ＯＳＤ信号２０を、輝度および色差成分に、例えばＹ  Ｒ−Ｙ  Ｂ−Ｙ、Ｙ  Ｐｒ  Ｐｂ、ＹＵＶ、ＹＩＱに、変換するマトリックスも提供する。ジェムスター（商標）・モジュール１９は、それ自体のＲＡＭを有し、ＶＢＩ（vertical blanking interval）情報から得られたＲＡＭからの１Ｈ番組ガイド・データか、あるいはあらかじめ準備されてＲＯＭに記憶されたデモ番組ガイドからの１Ｈ番組ガイド・データを供給する。デモンストレーション・データがＲＯＭに記憶されている場合、デモンストレーションが開始したときにＲＡＭ中に生データがなければ、デモ・データがＲＯＭからＲＡＭにロードされて、生データがシミュレートされる。デモが終了されたときは、デモ・データはＲＡＭから消去される。
【００１９】
オーバーレイ・スイッチＩＣ  Ｕ２  １８からの出力は、Ｐｒ／Ｐｂクランプ２２を介してディジタル復号器ＩＣ  Ｕ３  ２３、例えばＳｕｍｓｕｎｇ型名ＫＳ０１２７Ｂに結合される。集積回路Ｕ３  ２３は、オーバーレイ・スイッチ  Ｕ２  １８から受け取った輝度および色の信号をディジタル化し、ＣＣＩＲ規格６５６に準拠するデータ・ストリーム２４を形成する。この受信機モニタ表示システムでは、水平同期信号２１と垂直同期信号２５のマスタ・ソースは、ディジタル復号器Ｕ３  ２３に入力された輝度信号から抽出された同期信号になるように選択される。
【００２０】
ディジタル化されたコンポーネント信号ビット・ストリーム（Ｂｓ）は、デ・インターレース集積回路Ｕ４  ２６（例えばＧｅｎｅｓｉｓ  Ｍｉｃｒｏ型名ｇｍＶＬＸ１Ａ−Ｘ）とフィルム・モード・コントローラＩＣ  Ｕ６  ２７（例えばＧｅｎｅｓｉｓ  Ｍｉｃｒｏ型名ｇｍＡＦＭＣ）とを備えるデ・インターレーサ・システムに結合される。集積回路Ｕ６  ２７は、Ｉ２Ｃバス２８を介してシャーシ・コントローラＵ８  ３８によって制御され、かつこれと通信するが、ＩＣ  Ｕ４  ２６とＩＣ  Ｕ６  ２７との間の通信は、別個のデータバス２９を介して行う。ＩＣ  Ｕ４  ２６内でデ・インターレースが開始され、ＩＣ  Ｕ４  ２６は、入力コンポーネント・ビデオ・データ・ストリームを調べて、３２ビットＳＧＲＡＭメモリＩＣ  Ｕ５  ３０（例えばＡＭＩＣ型名Ａ４５Ｌ９３３２）に各フィールドを記憶する前段で、補間されるラインを構築するのに最良の方法を決定する。動きが検出されない場合は、システムは前のフィールドからの情報を繰り返して、完全な動きのないビデオ・フレームを提供する。しかし動きが検出された場合は、補間されるラインの回りのラインおよびフィールドを使用して垂直／時間フィルタリングを適用し、モーション・アーティファクトが本質的にない補間された信号を提供する。フィルム・モード・コントローラＩＣ、Ｕ６  ２７は、５フィールド・レートで生じる周期的な変動の結果としてのモーション・アーティファクトを監視することにより、２４Ｈｚフィルムから発生したビデオ信号の存在を検出する。この５フィールド反復レートは、個々のフィールドを周期的複製することによって６０Ｈｚの公称表示レートを生み出すために使用される、いわゆる３：２プルダウン・テレシネ・プロセスからもたらされる。したがって、基の素材がフィルムであると検出すると、前のフィールドからの時間的に正しいラインを使用して、補間される信号を組み立てることができる。
【００２１】
得られる２Ｈ走査レートのディジタル・ビデオは、３つの８ビット・データ・ストリーム（Ｙ３１、Ｐｒ３２、Ｐｂ３３）の形をとるが、これらは、デ・インターレースＩＣ  Ｕ４  ２６から出力され、次のディスプレイの前段で、ディジタル・アナログ変換およびアナログ信号処理に結合される。Ｄ−Ａ処理は、例えばＵ１０  ３４、Ａｎａｌｏｇ  Ｄｅｖｉｃｅｓ  ＡＤＶ７１２３ＩＣによって行われる。次いでこのＩＣのアナログ出力は、さらにバックエンドのビデオ・プロセッサ（処理装置）３５によって処理され、ビデオ・プロセッサ３５はＲＧＢ出力３６を生成し、ディスプレイ・デバイス上に表示される。
【００２２】
２Ｈすなわち高解像度のソースは、例えばマトリックス・スイッチに接続されたＹ／Ｐｒ／Ｐｂ入力１４を介して、このシステムに入力することができる。次いでシステムが２Ｈモードに入った場合、このマトリックス・スイッチ１２は、その信号を前述のアップ・コンバージョンなしで直接処理されるように、その信号をビデオ・プロセッサ３５へのルート３７にルーティングさせる。
【００２３】
図２に、本発明を例示するフロー・チャートを示す。ステップ２００でこのルーチンに入る。ステップ２０１に示すように、この機能は、工場でまたはユーザによって、デフォルトで設定（すなわちオンまたはオフに）しておくことができる。この機能がオンに設定されている場合（２０２）は、シャーシ・コントローラはまず、ガイド・デモをアクティブにする選択が行われたかどうかを判定する（２０４）。この選択が行われた場合は、ステップ２０５で、コントローラはシステムを自動的に１Ｈモードに切り換え、あらかじめシステム内に記憶されているガイド・デモの表示を開始する。次いでコントローラは、ステップ２１０で、デモが終了したか、またはユーザによって終了されたかどうかを判定する。このいずれかである場合は、次いでコントローラは、ステップ２１５に示すようにシステムを自動的に高解像度すなわち高精細度モードに切り換える。２２０でこのルーチンを出る。
【００２４】
好ましい一実施形態は、ＲＯＭに焼き込まれた番組ガイド・デモンストレーションを有するジェムスター（商標）電子番組ガイド・モジュール１９で、テレビジョン・モニタがデモ・モードにある間、リモート・コントロール・ユニット上の番組ガイド・キーが押されたときに、あらかじめ準備されたデータを有する番組ガイドを見込み客に表示するように設計されているジェムスター（商標）電子番組ガイド・モジュール１９を備える高精細度テレビジョン・モニタである。このテレビジョン・モニタは、その１Ｈ番組ガイドが選択されないときは、好ましくは２Ｈ  ＤＶＤプレーヤからの２Ｈ信号のソースを自動的に表示するようにプログラムされている。
【００２５】
１Ｈ番組ガイドが選択されると、テレビジョン・モニタは、ＤＶＤプレーヤなど２Ｈ信号のソースを見込み客が再選択するまで、またはその番組ガイド・デモが終了するまで、または所定の時間が経過してテレビジョン・モニタが２Ｈモードを再開する（resume）まで、１Ｈモードに切り換える。ガイド・ソフトウェアがデモ信号の終わりをテレビジョン・ソフトウェアに送り、その結果、テレビジョン・ソフトウェアがソースを切り換えて２Ｈ入力に戻すことが好ましい。
【００２６】
デモは様々なタイプのものとすることができる。例えば、リモート・コントローラまたは適切なメニュー項目を選択するためのフロント・パネル・キーを使用してアクティブにされる連続的なデモとすることができる。あるいは、デモを自動的に開始するようにする、テレビジョン・セットの背面のポートに差し込まれたハードウェア・ピンの存在に基づいて、売り場環境で顧客が電子番組ガイド・キー、すなわち通常の家庭環境で使用されるのと同じ番組ガイド・キーを押したときに、トリガされるものとすることもできる。
【図面の簡単な説明】
【図１】本発明によるビデオ装置を簡略化したブロック概略図である。
【図２】本発明によるフロー・チャートである。
【符号の説明】
１１  ビデオ・プロセッサ集積回路（Ｕ１）
１２  セレクタ・スイッチ・マトリックスＳＷ
１３  ＲＦまたはＩＦ信号
１４  輝度およびエンコードされた副搬送波（Ｙ／Ｐｒ／Ｐｂ入力）
１５  ＮＴＳＣエンコード信号
１６  外部Ｙ／Ｃ成分信号
１７  ＳＤ入力
１８  ＯＳＤオーバーレイ・スイッチＩＣ（Ｕ２）
１９  ジェムスター（商標）回路モジュール
２０  ＲＧＢとＦＳＷのＯＳＤ信号
２１  水平同期信号
２２  Ｐｒ／Ｐｂクランプ
２３  ディジタル復号器ＩＣ（Ｕ３）
２４  ＣＣＩＲ規格６５６準拠データ・ストリーム
２５  垂直同期信号
２６  デ・インターレースＩＣ（Ｕ４）
２７  フィルム・モード・コントローラＩＣ（Ｕ６）
２８  Ｉ２Ｃバス
２９  データバス
３０  ３２ビットＳＧＲＡＭメモリＩＣ
３１  ８ビット・データ・ストリームＹ
３２  ８ビット・データ・ストリームＰｒ
３３  ８ビット・データ・ストリームＰｂ
３４  ディジタル・アナログ変換器（Ｕ１０）
３５  ビデオ・プロセッサ（Ｕ１２）
３６  ＲＧＢ出力
３８  シャーシ・コントローラ（Ｕ８）
【図１】
0004122191.tif 000002
【図２】
0004122191.tif 000003